【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
被写体を撮影してその画像データを生成する撮像部と、生成された画像データを表示部に表示するための表示メモリと、記録媒体に記録するための画像データを記録する記録メモリと、を備えた電子スチルカメラにおいて、
前記撮像部の撮影のためのフレームレートを設定する第１のフレームレート設定手段と、
この第１のフレームレート設定手段によって設定されるフレームレートよりも遅い第２のフレームレートを設定する第２のフレームレート設定手段と、
前記第１のフレームレート設定手段または前記第２のフレームレート設定手段によって設定されたフレームレートで前記表示メモリを書き換えて前記表示部に被写体のビデオスルー画像を表示するスルー画像表示手段と、
前記撮像部からの画像データを前記画像メモリに一時的に記憶する画像データ記憶制御手段と、
撮影指示を検出する撮像指示検出手段と、
この撮像指示検出手段によって撮像指示を検出すると、撮影指示検出時に前記スルー画像表示手段によってスルー表示されている画像に対応する画像データを前記画像メモリから取り出して前記記録メモリに記録する画像データ記録制御手段と、
を備えたことを特徴とする電子スチルカメラ。
【請求項２】
前記電子スチルカメラは被写体の撮像方向と前記表示部の表示方向が可動に構成され、
前記撮像方向と前記表示方向とが略一致するか否かを判断する判断手段を更に備え、
前記第２のフレームレート設定手段は、前記判断手段によって前記撮像方向と前記表示方向とが略一致していると判断されたときに設定されることを特徴とする請求項１記載の電子スチルカメラ。
【請求項３】
被写体を撮影してその画像データを生成する撮像部と、生成された画像データを表示部に表示するための表示メモリと、記録媒体に記録するための画像データを記録する記録メモリと、を備えた電子スチルカメラが具備するコンピュータを、
前記撮像部の撮影のためのフレームレートを設定する第１のフレームレート設定手段、
この第１のフレームレート設定手段によって設定されるフレームレートよりも遅い第２のフレームレートを設定する第２のフレームレート設定手段、
前記第１のフレームレート設定手段または前記第２のフレームレート設定手段によって設定されたフレームレートで前記表示メモリを書き換えて前記表示部に被写体のビデオスルー画像を表示するスルー画像表示手段、
前記撮像部からの画像データを前記画像メモリに一時的に記憶する画像データ記憶制御手段、
撮影指示を検出する撮像指示検出手段、
この撮像指示検出手段によって撮像指示を検出すると、撮影指示検出時に前記スルー画像表示手段によってスルー表示されている画像に対応する画像データを前記画像メモリから取り出して前記記録メモリに記録する画像データ記録制御手段、
として機能させることを特徴とするプログラム。
【手続補正２】
【補正対象書類名】明細書
【補正対象項目名】発明の名称
【補正方法】変更
【補正の内容】
【発明の名称】電子スチルカメラ、及び、プログラム
【手続補正３】
【補正対象書類名】明細書
【補正対象項目名】０００１
【補正方法】変更
【補正の内容】
【０００１】
本発明は、電子スチルカメラ、及び、プログラムに関する。
【手続補正４】
【補正対象書類名】明細書
【補正対象項目名】００１１
【補正方法】変更
【補正の内容】
【００１１】
本発明は、上記従来技術の課題を解消し、シャッターチャンス時の画像を確実に撮影し得る電子スチルカメラ、及び、プログラムの提供を目的とする。
【手続補正５】
【補正対象書類名】明細書
【補正対象項目名】００１２
【補正方法】変更
【補正の内容】
【００１２】
上記課題を解決するために、請求項１に記載の発明は、被写体を撮影してその画像データを生成する撮像部と、生成された画像データを表示部に表示するための表示メモリと、記録媒体に記録するための画像データを記録する記録メモリと、を備えた電子スチルカメラにおいて、前記撮像部の撮影のためのフレームレートを設定する第１のフレームレート設定手段と、この第１のフレームレート設定手段によって設定されるフレームレートよりも遅い第２のフレームレートを設定する第２のフレームレート設定手段と、前記第１のフレームレート設定手段または前記第２のフレームレート設定手段によって設定されたフレームレートで前記表示メモリを書き換えて前記表示部に被写体のビデオスルー画像を表示するスルー画像表示手段と、前記撮像部からの画像データを前記画像メモリに一時的に記憶する画像データ記憶制御手段と、撮影指示を検出する撮像指示検出手段と、この撮像指示検出手段によって撮像指示を検出すると、撮影指示検出時に前記スルー画像表示手段によってスルー表示されている画像に対応する画像データを前記画像メモリから取り出して前記記録メモリに記録する画像データ記録制御手段と、を備える。
【手続補正６】
【補正対象書類名】明細書
【補正対象項目名】００１３
【補正方法】変更
【補正の内容】
【００１３】
また、請求項２に記載の発明は、上記請求項１に記載の発明において、前記電子スチルカメラは被写体の撮像方向と前記表示部の表示方向が可動に構成され、前記撮像方向と前記表示方向とが略一致するか否かを判断する判断手段を更に備え、前記第２のフレームレート設定手段は、前記判断手段によって前記撮像方向と前記表示方向とが略一致していると判断されたときに設定される。
【手続補正７】
【補正対象書類名】明細書
【補正対象項目名】００１４
【補正方法】変更
【補正の内容】
【００１４】
また、上記課題を解決するために、請求項３に記載の発明は、被写体を撮影してその画像データを生成する撮像部と、生成された画像データを表示部に表示するための表示メモリと、記録媒体に記録するための画像データを記録する記録メモリと、を備えた電子スチルカメラが具備するコンピュータを、前記撮像部の撮影のためのフレームレートを設定する第１のフレームレート設定手段、この第１のフレームレート設定手段によって設定されるフレームレートよりも遅い第２のフレームレートを設定する第２のフレームレート設定手段、前記第１のフレームレート設定手段または前記第２のフレームレート設定手段によって設定されたフレームレートで前記表示メモリを書き換えて前記表示部に被写体のビデオスルー画像を表示するスルー画像表示手段、前記撮像部からの画像データを前記画像メモリに一時的に記憶する画像データ記憶制御手段、撮影指示を検出する撮像指示検出手段、この撮像指示検出手段によって撮像指示を検出すると、撮影指示検出時に前記スルー画像表示手段によってスルー表示されている画像に対応する画像データを前記画像メモリから取り出して前記記録メモリに記録する画像データ記録制御手段、として機能させる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
本発明によれば、第１のフレームレートよりも遅い第２のフレームレートが設定されてても、撮影指示検出時にスルー表示されている画像に対応する画像データを記録することができるので、シャッターチャンス時の画像を確実に撮影し得る。